(57)【要約】【課題】動作環境に応じた最適な輝度で照明装置を点灯させることが可能な携帯端末装置を提供すること。【解決手段】光度検出部１１１によって携帯端末装置１００周囲の光度を検出し、キーパネル部１０９にて操作を行っているとき、通話を行っているとき、又はデータ通信を行っているとき等に、一定時間、周囲の光度に変化がなければ、照明素子１１８ａ及び１１８ｂを徐々に減光制御する。これにより、使用者の違和感なしに消費電力の削減を図ることができる。又、減光中に装置周囲の輝度に変化があると照明素子１１８ａ及び１１８ｂ夫々の照明輝度を初期値に戻す。これにより、周囲の光度変化に即座に対応でき、明るい場所から暗い場所へ移動した場合でも、操作を容易に行うことができる。【選択図】　図１
2004104245.tif 000002
【特許請求の範囲】
【請求項１】
表示部及び操作部を一定輝度で照明する照明手段と、
前記照明手段が前記表示部及び前記操作部を照明する間、外光の光度を検出する光度検出手段と、
前記光度が所定時間一定である場合に、前記照明手段の前記一定輝度を漸減させる制御を行う輝度制御手段とを備えることを特徴とする携帯端末装置。
【請求項２】
前記照明手段の前記一定輝度が漸減されている状態において、前記光度検出手段により検出される光度に変化が生じた場合、前記輝度制御手段は、前記照明手段の輝度を前記一定輝度に戻すことを特徴とする請求項１記載の携帯端末装置。
【請求項３】
表示部及び操作部を一定輝度で照明する照明手段と、
前記照明手段が前記表示部及び前記操作部を照明する間、電源で消費される消費電流を検出する消費電流検出手段と、
前記消費電流が閾値を超える場合、前記照明手段の一定輝度を漸減させる制御を行う輝度制御手段とを備えることを特徴とする携帯端末装置。
【請求項４】
表示部上に表示される内容を全て照明する複数の照明素子を一定輝度で点灯させることで前記表示部全体を照明する照明手段と、
操作部の操作によって前記表示部に文字入力位置を示すカーソルが表示されている場合、前記複数の照明素子のうち前記カーソルが表示される部分の照明素子のみを前記一定輝度で点灯させ、それ以外の複数の照明素子については前記一定輝度を漸減させる又は消灯する制御を行う輝度制御手段とを備えることを特徴とする携帯端末装置。
【発明の詳細な説明】
【０００１】
【発明の属する技術分野】
本発明は、携帯電話や簡易型携帯電話等の照明装置を備えた携帯端末装置に関する。
【０００２】
【従来の技術】
従来、表示装置を備える携帯端末装置には、夜間等の光度の低い場所においても、表示装置の表示内容や操作キーの認識ができるよう照明機能を備えているものがある。照明機能は、例えば、利用者が電話番号等のキー操作を行うことで自動的にバックライト照明やキー操作部の照明素子を点灯させたり、キー操作がある一定時間行われない場合は、定められたタイマにより照明装置を消灯させたりするものである。
【０００３】
【特許文献１】
特開２００１−１４２４４６号公報
【０００４】
【発明が解決しようとする課題】
しかしながら、従来の照明機能を備えた携帯端末装置においては、電話番号入力等のキー操作を検出した場合や文字入力等のキー操作を常時検出し続ける場合等、周囲の外光の光度がどのような状態にあっても、ある一定の輝度で照明装置を点灯し続けている。即ち、携帯端末装置を使用する周囲の環境が明るく、照明が必要ない場所（夜間において電灯をつけた室内や屋外の日向等）であっても、その照明の輝度は、暗い場所で使用する輝度と同じであった為、無駄な電力を消費しているという問題点があった。
【０００５】
又、携帯端末装置の電池残量が少ない場合や処理負荷が高く消費電力が大きい場合等でも、キー操作等に応じて全ての照明装置が動作してしまう為、携帯端末装置の主機能である通話やデータ通信が途中で切断されてしまうという問題点があった。
【０００６】
本発明は、上記従来の問題点を解決する為になされたものであり、動作環境に応じた最適な輝度で照明装置を点灯させることで消費電力を削減することが可能な携帯端末装置を提供することを目的とする。
【０００７】
【課題を解決するための手段】
本発明の携帯端末装置は、表示部及び操作部を一定輝度で照明する照明手段と、前記照明手段が前記表示部及び前記操作部を照明する間、外光の光度を検出する光度検出手段と、前記光度が所定時間一定である場合に、前記照明手段の前記一定輝度を漸減させる制御を行う輝度制御手段とを備えることを特徴とする。
【０００８】
この構成により、照明手段の動作中、外光の光度が一定の場所では、輝度が漸減制御される為、動作環境に応じた最適な輝度で表示部及び操作部を照明することができ、消費電力を抑えることができる。又、輝度は漸減される為、使用者の視覚による輝度の慣れにしたがって輝度を漸減させることで、使用者に違和感を与えることなく消費電力を低減することができる。
【０００９】
又、本発明の携帯端末装置は、前記照明手段の前記一定輝度が漸減されている状態において、前記光度検出手段により検出される光度に変化が生じた場合、前記輝度制御手段は、前記照明手段の輝度を前記一定輝度に戻すことを特徴とする。
【００１０】
この構成により、輝度が漸減されている状態において外光の光度が変化した場合は、照明手段の輝度を所定値に戻す為、照明手段の動作環境の変化に即座に対応可能となる。
【００１１】
本発明の携帯端末装置は、表示部及び操作部を一定輝度で照明する照明手段と、前記照明手段が前記表示部及び前記操作部を照明する間、電源で消費される消費電流を検出する消費電流検出手段と、前記消費電流が閾値を超える場合、前記照明手段の一定輝度を漸減させる制御を行う輝度制御手段とを備えることを特徴とする。
【００１２】
この構成により、消費電流が大きい動作状態においては、照明手段の動作に要する消費電力を削減する為、電池寿命の延命を図ると共に、携帯端末装置の自己発熱を抑えることができる。又、輝度は漸減制御される為、使用者の視覚による輝度の慣れにしたがって輝度を漸減させることで、使用者に違和感を与えることなく消費電力を低減することができる。
【００１３】
本発明の携帯端末装置は、表示部上に表示される内容を全て照明する複数の照明素子を一定輝度で点灯させることで前記表示部全体を照明する照明手段と、操作部の操作によって前記表示部に文字入力位置を示すカーソルが表示されている場合、前記複数の照明素子のうち前記カーソルが表示される部分の照明素子のみを前記一定輝度で点灯させ、それ以外の複数の照明素子については前記一定輝度を漸減させる又は消灯する制御を行う輝度制御手段とを備えることを特徴とする。
【００１４】
この構成により、文字入力位置を示すカーソルが表示されている部分以外の照明素子は輝度を漸減させるか又は消灯する為、文字入力を行う際の消費電力を低減することができる。
【００１５】
【発明の実施の形態】
以下、本発明の実施形態について、図面を参照して説明する。
図１は、本発明の実施形態に係る携帯端末装置の構成を示すブロック図である。携帯端末装置１００は、無線部１０１、通話用のレシーバ１０２、マイク１０３、復調部１０４、変調部１０５、音声処理部１０６、主制御部１０７、画像処理部１０８、キーパネル１０９、スピーカ１１０、光度検出部１１１、液晶表示部１１２、カメラ１１３、電源制御部１１４、電源電圧監視部１１５、消費電流監視部１１６、輝度制御部１１７、照明素子部１１８ａ、照明素子部１１８ｂ、及び電池１１９を備える。
【００１６】
マイク１０３は通話時において音声を入力する。主制御部１０７は、装置各部を制御する。キーパネル部１０９は、電話番号等を入力するためのキー、通話や終話を選択するトークキーなどを有する。スピーカ１１０はリンガ音やメロディトーンの出力に使用される。照明素子部１１８ａはキーパネル部１０９と一体化されており、キーパネル部１０９を照明して暗所での操作を容易にする。照明素子部１１８ｂは液晶表示部１１２と一体化されており、液晶表示部１１２を照明して暗所での表示を容易にする。
【００１７】
主制御部１０７にキーパネル部１０９からのキー信号が入力されると、主制御部１０７が電源制御部１１４を制御して照明素子部１１８ａ及び照明素子部１１８ｂを点灯させる。この際、輝度制御部１１７によって照明素子１１８ａ及び照明素子１１８ｂの照明輝度が制御される。又、主制御部１０７は、画像処理部１０８を制御して画像処理を行わせ、液晶表示部１１２に、使用者が入力した電話番号や文字の他、電池残量や画像等種々の情報を表示させる。
【００１８】
電池１１９は装置本体を駆動するための電源である。電源制御部１１４は、電池１１９からの電源供給を受けて、装置に必要な電源電圧発生や安定化等を行う。消費電流監視部１１６は携帯端末装置本体の消費電流を検出する。光度検出部１１１は、携帯端末装置周囲の光度を検出してその結果を主制御部１０７に入力する。
【００１９】
次に、上記構成の携帯端末装置１００の動作について説明する。
携帯端末装置１００が待ち受け状態にあるときに、使用者がキーパネル部１０９の発呼ボタンを押すと、主制御部１０７は無線部１０１を制御して無線基地局３０１との間で所定のプロトコルを実行し、通話チャネルを確立する。これにより、通信が開始される。この状態で、使用者がキーパネル部１０９のダイヤルキーにて通話相手の電話番号を入力すると、この電話番号を無線基地局３０１に向けて送信し、通話相手の電話を呼び出す。
【００２０】
この着信によって、通話相手が電話に出ると、その通話相手の音声が無線部１０１で受信されて復調部１０４で復調され、その後音声処理部１０６で音声処理されてレシーバ１０２より音声出力される。一方、使用者がマイク１０３に向けて話した音声が音声処理部１０６により信号処理され、変調部１０５で変調されて、無線部１０１から無線信号として無線基地局３０１に向けて送信される。このような処理によって相手との通話が可能となる。
【００２１】
そして、通話が終了して使用者がキーパネル部１０９の電源キーを押すと、無線基地局３０１に終話であることが通知され、無線基地局３０１との間の通話チャネルが閉じられ、携帯端末装置１００は再び待ち受け状態に戻る。
【００２２】
更に、待ち受け状態にあるときに着呼があると、主制御部１０７は無線部１０１を動作させて無線基地局３０１との間で所定のプロトコルを実行して通話チャネルを確立する。次いでスピーカ１１０より着呼を告げるリンガ音又はメロディトーンを出力する。この呼び出し音により、使用者がキーパネル部１０９の電源キーを押すと、この電源キーの押されたことが無線基地局３０１に伝えられて通話状態となる。又、その一方で、主制御部１０７が呼び出し音を止めて、通話が開始される。
【００２３】
そして、以上の処理に加えて、更に次のような動作が主制御部１０７によって実行される。
携帯端末装置１００では、動作状態（キーパネル部１０９が操作された状態や着信時等）において輝度制御部１１７の制御により、照明素子部１１８ａ及び１１８ｂの輝度コントロールを行う。先ず携帯端末装置１００に電源が投入されたときは、初期状態として照明点灯モードが設定される。次いで、データ通信等のキー操作が継続して行われる場合、照明素子部１１８ａ及び１１８ｂは、輝度制御部１１７を介して電源制御部１１４により駆動され続けることになる。
【００２４】
この間、光度検出部１１１により携帯端末装置１００周囲の光度の検出が行われ、検出された光度情報が主制御部１０７に通知される。この検出結果があるタイマ値（一定時間）を超えて変化が生じない場合は、輝度制御部１１７により照明素子部１１８ａ及び１１８ｂの減光制御が行われる。具体的には、任意に設定可能な時間毎に輝度を所定量ずつ減少させる制御を行う。例えば、携帯端末装置１００の使用者が、タイマ値を１分に設定すると、照明素子部１１８ａ及び１１８ｂの輝度は１分毎に所定量の輝度で減光していくよう制御される。又、減光輝度の下限値についても主制御部１０７により任意に設定できるものとする。
【００２５】
尚、光度検出部１１１にて携帯端末装置１００周囲の光度の変化が主制御部１０７に通知された場合、輝度制御部１１７は、照明素子部１１８ａ及び１１８ｂの輝度を直ちに初期値まで戻すものとする。又、携帯端末装置１００周囲の光度の変化に対してヒステリシスを持たせることも可能である。
【００２６】
又、携帯端末装置１００は、消費電流監視部１１６の検出結果を主制御部１０７に通知するようにしており、この検出結果が所定の閾値を超える場合は、輝度制御部１１７により照明素子部１１８ａ及び１１８ｂの減光制御が行われる。消費電流監視部１１６の検出結果が所定の閾値未満の場合は、照明素子部１１８ａ及び１１８ｂの減光制御が中断され、輝度を直ちに初期値まで戻す制御が行われる。尚、この消費電流の変化に対してもヒステリシスを持たせることが可能である。
【００２７】
又、携帯端末装置１００は、使用者によるキー操作をキーパネル部１０９からの入力により主制御部１０７に通知し、画像処理部１０８の処理結果を液晶表示部１１２に表示する。このとき、照明素子部１１８ｂを構成する複数の照明素子のうち、カーソルや文字入力時の反転表示等、使用者の視線が当たる文字周辺の照明素子のみを電源制御部１１４の制御により通常の輝度で駆動させ、その他の部分の全照明素子については輝度制御部１１７により減光制御するか若しくは消灯する。
【００２８】
このように、本実施形態によれば、携帯端末装置１００を使用する周囲の光度や消費電流の値等の携帯端末装置１００の動作環境に応じて、照明素子１１８ａ及び１１８ｂの輝度を調節する為、省電力化を図ることができる。
【００２９】
又、照明素子１１８ａ及び１１８ｂの輝度は、任意に設定可能な時間毎に所定量ずつ減少される。したがって、液晶表示部１１２を見ている使用者は、視覚による輝度の慣れと共に一定間隔おきに輝度が減少していく為、液晶表示部１１２の照明の表示輝度を使用者に違和感を覚えさせることなく、照明を減光制御することができる。
【００３０】
又、携帯端末装置の送信パワー最大時やメインバッテリの充電時等の消費電流が大きい動作状態において、照明素子１１８ａ及び１１８ｂの輝度を減少させる制御を行うことで、携帯端末装置１００を駆動する電池１１９の電力消費を最小限に抑えることができ、１回の充電による使用時間を長くすることができる。したがって、電池寿命の延命を図ると共に、端末装置自身の自己発熱を抑えることが可能となる。
【００３１】
又、キーパネル部１０９を操作して文字入力を行うことで液晶表示器１１２に文字を表示させる場合は、その文字入力位置を示すカーソル表示部分や反転表示部分等の使用者の目線部分のみの照明素子を点灯させ、他の照明素子については減光又は消灯する制御を行う。文字入力時においては、文字入力している部分以外の部分における照明は無駄となっていることが多いが、この構成により無駄な電力消費を削減することができる。
【００３２】
【発明の効果】
本発明によれば、動作環境に応じた最適な輝度で照明装置を点灯させることで消費電力を削減することが可能な携帯端末装置を提供することができる。
【図面の簡単な説明】
【図１】本発明の実施形態に係る携帯端末装置の構成を示すブロック図である。
【符号の説明】
１０１　無線部
１０２　レシーバ
１０３　マイク
１０４　復調部
１０５　変調部
１０６　音声処理部
１０７　主制御部
１０８　画像処理部
１０９　キーパネル
１１０　スピーカ
１１１　光度検出部
１１２　液晶表示部
１１３　カメラ
１１４　電源制御部
１１５　電源電圧監視部
１１６　消費電流監視部
１１７　輝度制御部
１１８ａ、１１８ｂ　照明素子
１１９　電池
【図１】
2004104245.tif 000003